(57)【特許請求の範囲】
【請求項１】
光源として設けられた発光ダイオードと該発光ダイオードに給電する一対の給電部が設けられたフレキシブルプリント配線板とを有する発光体と、
前記発光体が交換可能に固定された取付ベースとを備え、
前記取付ベースは、車輌用灯具の取付孔に後方から取り付けられる
ことを特徴とする光源ユニット。
【請求項２】
前記フレキシブルプリント配線板は、光源接続部と回路形成部と両者を連結する連結部を備え、
前記光源接続部に発光ダイオードが搭載され、
前記回路形成部に発光ダイオードの発光状態を制御する電子部品が搭載されている
ことを特徴とする請求項１に記載の光源ユニット。
【請求項３】
前記発光ダイオードの発光時に発生する熱を放出する放熱部材を前記フレキシブルプリント配線板の一方の面に配置することを特徴とする請求項１又は請求項２に記載の光源ユニット。
【請求項４】
前記発光体の一対の給電部にそれぞれ接続される接続部を設け、
前記接続部を前記取付ベースに一体に形成した
ことを特徴とする請求項１、請求項２又は請求項３に記載の光源ユニット。
【請求項５】
光源として設けられた発光ダイオードと該発光ダイオードに給電する一対の給電部が設けられた基板とを有する発光体と、
前記発光体が交換可能に固定された取付ベースとを備え、
前記取付ベースは、車輌用灯具の取付孔に後方から取り付けられ、
前記取付ベースには、光源である発光ダイオードから出射された光を制御するレンズ体が取り付けられている
ことを特徴とする光源ユニット。
【発明の詳細な説明】
【技術分野】
【０００１】
本発明は光源ユニットに関する。詳しくは、光源として設けられた発光ダイオードを有する発光体を取付ベースにスライドして取り付けることによりメンテナンス性の向上及び組立性の向上を図る技術分野に関する。
【背景技術】
【０００２】
発光ダイオード（ＬＥＤ：Light Emitting Diode）を光源として用いた光源ユニットがあり、このような光源ユニットは、例えば、光源から出射された光を照明光として照射する車輌用灯具に備えられている（例えば、特許文献１参照）。
【０００３】
特許文献１に記載された光源ユニットは、ハウジングに回路基板やコネクター等が一体に設けられ、回路基板に発光ダイオード等が接合されて構成されている。
【０００４】
【特許文献１】特開２００６−３３１９６７号公報
【発明の開示】
【発明が解決しようとする課題】
【０００５】
ところが、特許文献１に記載された光源ユニットにあっては、ハウジングに回路基板が一体に設けられ回路基板に発光ダイオード等が接合された構成とされているため、故障等が生じて回路基板や発光ダイオード等の交換が必要なときに、ハウジングを含めた部分を取り外したり交換しなければならず、メンテナンス性が悪いと言う問題がある。
【０００６】
また、製造コストの低減等を図るために、光源ユニットの組立性の向上を図る必要もある。
【０００７】
そこで、本発明光源ユニットは、メンテナンス性の向上及び組立性の向上を図ることを課題とする。
【課題を解決するための手段】
【０００８】
光源ユニットは、上記した課題を解決するために、光源として設けられた発光ダイオードと該発光ダイオードに給電する一対の給電部が設けられたフレキシブルプリント配線板とを有する発光体と、前記発光体が交換可能に固定された取付ベースとを備え、前記取付ベースは、車輌用灯具の取付孔に後方から取り付けられるようにしたものである。
【００１０】
従って、光源ユニットにあっては、取付ベースが車輌用灯具の取付孔に後方から取り付けられる。
【発明の効果】
【００１１】
本発明光源ユニットは、光源として設けられた発光ダイオードと該発光ダイオードに給電する一対の給電部が設けられたフレキシブルプリント配線板とを有する発光体と、前記発光体が交換可能に固定された取付ベースとを備え、前記取付ベースは、車輌用灯具の取付孔に後方から取り付けられるようにしたことを特徴とする。
【００１２】
従って、組立が容易であるため組立性の向上を図ることができると共に取付ベースに対して発光体の交換が可能でありメンテナンス性の向上を図ることができる。
【００１３】
請求項２に記載した発明にあっては、前記フレキシブルプリント配線板は、光源接続部と回路形成部と両者を連結する連結部を備え、前記光源接続部に発光ダイオードが搭載され、前記回路形成部に発光ダイオードの発光状態を制御する電子部品が搭載されるようにしている。
【００１４】
従って、連結部により光源接続部と回路形成部が連結されるため、一層のメンテナンス性の向上及び組立性の向上を図ることができる。
【００１５】
請求項３に記載した発明にあっては、前記発光ダイオードの発光時に発生する熱を放出する放熱部材を前記フレキシブルプリント配線板の一方の面に配置するようにしている。
【００１６】
従って、放熱部材がフレキシブルプリント配線板の一方の面に取り付けられるため、より一層のメンテナンス性の向上及び組立性の向上を図ることができる。
【００１７】
請求項４に記載した発明にあっては、前記発光体の一対の給電部にそれぞれ接続される接続部を設け、前記接続部を前記取付ベースに一体に形成したので、部品点数の削減による製造コストの低減を図ることができる。
【００１８】
本発明の他の光源ユニットは、光源として設けられた発光ダイオードと該発光ダイオードに給電する一対の給電部が設けられた基板とを有する発光体と、前記発光体が交換可能に固定された取付ベースとを備え、前記取付ベースは、車輌用灯具の取付孔に後方から取り付けられ、前記取付ベースには、光源である発光ダイオードから出射された光を制御するレンズ体が取り付けられていることを特徴とする。
【００１９】
従って、組立が容易であるため組立性の向上を図ることができると共に取付ベースに対して発光体の交換が可能でありメンテナンス性の向上を図ることができる。
【発明を実施するための最良の形態】
【００２０】
以下に、本発明光源ユニットを実施するための最良の形態について添付図面を参照して説明する。
【００２１】
車輌用灯具１は、例えば、前方に開口された凹部を有する図示しないランプボデイと該ランプボデイの開口面を閉塞する図示しないカバーとを備え、ランプボデイとカバーによって形成された空間にリフレクター２が配置されている（図１参照）。リフレクター２の後端部には前後に貫通された取付孔２ａが形成されている。
【００２２】
リフレクター２の後端部には光源ユニット３が取り付けられている。
【００２３】
以下に、第１の実施の形態における光源ユニット３について説明する（図１乃至図４参照）。
【００２４】
光源ユニット３は取付ベース４と該取付ベース４に挿入されて取り付けられるユニットベース５とから成る（図１乃至図３参照）。
【００２５】
取付ベース４は、例えば、絶縁性材料によって形成され、前後方向を向くベース板部６を有し、該ベース板部６は外周縁がＵ字状の部分とＵ字状部分の両端を結ぶ直線状の部分によって形成されている。
【００２６】
取付ベース４はベース板部６と該ベース板部６の上縁を除く外周部から前方へ突出された前側周面部７と該前側周面部７の前縁から内方へ張り出された前側壁部８とベース板部６の直線状の部分を除く外周部から後方へ突出された後側周面部９と該後側周面部９の後縁から内方へ張り出された後側壁部１０とから成る。
【００２７】
取付ベース４におけるベース板部６の前側の空間が挿入用空間４ａとして形成され、該挿入用空間４ａの上側の開口が挿入口４ｂとされ、前側壁部８の内側の空間が前側配置部４ｃとされて挿入用空間４ａに連通されている。
【００２８】
取付ベース４におけるベース板部６の後側の空間が配置用空間４ｄとして形成され、該配置用空間４ｄの上側の開口が挿入用開口４ｅとされ、後側壁部１０の内側の空間が後側配置部４ｆとされて配置用空間４ｄに連通されている。
【００２９】
取付ベース４には後側周面部９にそれぞれ外方へ突出された被取付突部１１、１１が設けられ、該被取付突部１１、１１にそれぞれネジ挿通孔１１ａ、１１ａが形成されている。
【００３０】
ユニットベース５は、金属材料によって形成された前後方向を向く第１の放熱部材１２と、金属材料によって形成された前後方向を向く第２の放熱部材１３と、第１の放熱部材１２と第２の放熱部材１３に跨って取り付けられたフレキシブルプリント配線板１４とを有している。
【００３１】
第１の放熱部材１２と第２の放熱部材１３はそれぞれ略円板状に形成され、それぞれ上端部に上方に開口された切欠部１２ａ、１３ａを有している。
【００３２】
フレキシブルプリント配線板１４は光源接続部１５と回路形成部１６と両者を連結する連結部１７とから成る。
【００３３】
光源接続部１５には発光ダイオード１８が搭載されており、該発光ダイオード１８が搭載される基板として機能する。尚、発光ダイオード１８の数は任意であり、必要とされる発光輝度に応じて複数を搭載することも可能である。
【００３４】
回路形成部１６には保護素子や抵抗素子等の図示しないダイオードと接続コネクター１９とが搭載され、回路形成部１６は発光ダイオード１８の発光状態を制御する回路基板として機能する。
【００３５】
フレキシブルプリント配線板１４には発光ダイオード１８、保護素子や抵抗素子等のダイオード及び接続コネクター１９にそれぞれ接続された回路パターン１４ａ、１４ａ、・・・が形成されている。
【００３６】
回路パターン１４ａ、１４ａ、・・・のうち発光ダイオード１８に接続された部分は該発光ダイオード１８に給電するための給電部として機能する。また、光源接続部１５と該光源接続部１５に搭載された発光ダイオード１８とによって発光体２０が構成される。
【００３７】
フレキシブルプリント配線板１４は光源接続部１５が第１の放熱部材１２の一方の面における外周部を除いた部分に取り付けられ回路形成部１６が第２の放熱部材１３の一方の面における少なくとも外周部を除いた部分に取り付けられている。
【００３８】
ユニットベース５はフレキシブルプリント配線板１４の連結部１７が屈曲されて第１の放熱部材１２の他方の面と第２の放熱部材１３の他方の面とが向き合うようにされ、このとき連結部１７が第１の放熱部材１２の切欠部１２ａと第２の放熱部材１３の切欠部１３ａに挿入される。このように第１の放熱部材１２と第２の放熱部材１３にそれぞれ切欠部１２ａ、１３ａが形成されているため、フレキシブルプリント配線板１４の連結部１７の位置及び屈曲状態が安定すると共に連結部１７を短くすることができる。
【００３９】
上記のように第１の放熱部材１２の他方の面と第２の放熱部材１３の他方の面とが向き合うようにされた状態で、第１の放熱部材１２と光源接続部１５が取付ベース４の挿入口４ｂから挿入用空間４ａに挿入されスライドされて第１の放熱部材１２が取付ベース４に嵌合され、第２の放熱部材１３と回路形成部１６が取付ベース４の挿入用開口４ｅから配置用空間４ｄに挿入されスライドされて第２の放熱部材１３が取付ベース４に嵌合され、ユニットベース５が取付ベース４に取り付けられて光源ユニット３が構成される。
【００４０】
ユニットベース５が取付ベース４に取り付けられて光源ユニット３が構成された状態においては、取付ベース４の前側配置部４ｃにフレキシブルプリント配線板１４の光源接続部１５が配置され、取付ベース４の後側配置部４ｆにフレキシブルプリント配線板１４の回路形成部１６が配置され、接続コネクター１９が取付ベース４から後方へ突出される。
【００４１】
光源ユニット３は取付ベース４の被取付突部１１、１１に形成されたネジ挿通孔１１ａ、１１ａにそれぞれ挿通された取付ネジ５０、５０によってリフレクター２に固定される。
【００４２】
光源ユニット３の接続コネクター１９には図示しない電源回路に接続されたコネクター１００が接続される（図１参照）。
【００４３】
上記のように、光源ユニット３は、取付ベース４にユニットベース５がスライドされて挿入されることにより組み立てられるため、組立が容易であり、組立性の向上を図ることができる。
【００４４】
また、取付ベース４に対してユニットベース５の交換が可能であり、ユニットベース５の交換も取付ベース４に対してスライドさせることにより簡単に行うことが可能であり、メンテナンス性の向上を図ることができる。
【００４５】
上記のように光源ユニット３が構成された状態において、電源回路からコネクター１００、接続コネクター１９及びフレキシブルプリント配線板１４の回路パターン１４ａ、１４ａ、・・・を介して発光ダイオード１８に電流が供給され、該発光ダイオード１８から光が出射される。
【００４６】
発光ダイオード１８の発光時には光の出射に伴って発光ダイオード１８及びフレキシブルプリント配線板１４に発熱が生じるが、発生した熱は第１の放熱部材１２及び第２の放熱部材１３から放出され良好な放熱性が確保される。
【００４７】
上記には、発光体２０がフレキシブルプリント配線板１４の一部として設けられている例を示したが、例えば、以下に示す第１の実施の形態における変形例である光源ユニット３Ａのように、発光体をフレキシブルプリント配線板とは別体で構成することも可能である（図４参照）。
【００４８】
光源ユニット３Ａは取付ベース４Ａと該取付ベース４Ａに挿入されて取り付けられるユニットベース５Ａと取付ベース４Ａに挿入されて取り付けられユニットベース５Ａに接続される発光体２１とから成る。
【００４９】
取付ベース４Ａは、例えば、絶縁性材料によって形成され、ベース板部６と該ベース板部６の直線状の部分を除く外周部から前方へ突出された第１の前側周面部２２と該第１の前側周面部２２の前縁から内方へ張り出された第１の前側壁部２３と該第１の前側壁部２３の内周縁から前方へ突出された第２の前側周面部２４と該第２の前側周面部２４の前縁から内方へ張り出された第２の前側壁部２５と後側周面部９と後側壁部１０とから成る。
【００５０】
取付ベース４Ａのベース板部６の前側の空間のうち第１の前側周面部２２の内面側の空間が第１の挿入用空間４ｇとして形成され、該第１の挿入用空間４ｇの上側の開口が第１の挿入口４ｈとされ、ベース板部６の前側の空間のうち第２の前側周面部２４の内面側の空間が第２の挿入用空間４ｉとして形成され、該第２の挿入用空間４ｉの上側の開口が第２の挿入口４ｊとされている。第２の前側壁部２５の内側の空間は前側配置部４ｋとされ第２の挿入用空間４ｉに連通されている。
【００５１】
ユニットベース５Ａは、第１の放熱部材１２と、第２の放熱部材１３と、第１の放熱部材１２と第２の放熱部材１３に跨って取り付けられたフレキシブルプリント配線板１４Ａとを有している。
【００５２】
フレキシブルプリント配線板１４Ａは光源接続部１５Ａと回路形成部１６と両者を連結する連結部１７とから成る。
【００５３】
光源接続部１５Ａには接点部１５ａ、１５ａが形成されている。
【００５４】
フレキシブルプリント配線板１４Ａには接点部１５ａ、１５ａ、保護素子や抵抗素子等のダイオード及び接続コネクター１９にそれぞれ接続された回路パターン１４ｂ、１４ｂ、・・・が形成されている。接点部１５ａ、１５ａはそれぞれ回路パターン１４ｂ、１４ｂの一端部に設けられている。
【００５５】
フレキシブルプリント配線板１４Ａは光源接続部１５Ａが第１の放熱部材１２の一方の面における外周部を除いた部分に取り付けられている。
【００５６】
ユニットベース５Ａはフレキシブルプリント配線板１４Ａの連結部１７が屈曲されて第１の放熱部材１２の他方の面と第２の放熱部材１３の他方の面とが向き合うようにされる。
【００５７】
発光体２１は発光ダイオード１８と該発光ダイオード１８が搭載された円板状の基板２６とから成る。基板２６には一対の給電部２６ａ、２６ａが形成され、該給電部２６ａ、２６ａは各一端部が発光ダイオード１８に接続され各他端部が基板２６の後面に位置されている。
【００５８】
ユニットベース５Ａは第１の放熱部材１２と光源接続部１５Ａが取付ベース４Ａの第１の挿入口４ｇから第１の挿入用空間４ｈに挿入されスライドされて第１の放熱部材１２が取付ベース４Ａに嵌合され、第２の放熱部材１３と回路形成部１６が取付ベース４Ａの挿入用開口４ｅから配置用空間４ｄに挿入されスライドされて第２の放熱部材１３が取付ベース４Ａに嵌合され、ユニットベース５Ａが取付ベース４Ａに取り付けられる。
【００５９】
発光体２１は取付ベース４Ａの第２の挿入口４ｉから第２の挿入用空間４ｊに挿入されスライドされて取付ベース４Ａに嵌合され、取付ベース４Ａに取り付けられ、光源ユニット３Ａが構成される。
【００６０】
発光体２１が取付ベース４Ａに取り付けられた状態においては、発光体２１の基板２６に形成された給電部２６ａ、２６ａがそれぞれユニットベース５Ａのフレキシブルプリント配線板１４Ａに形成された接点部１５ａ、１５ａに接続される。
【００６１】
上記のように、光源ユニット３Ａは、取付ベース４Ａにユニットベース５Ａと発光体２１がそれぞれスライドされて挿入されることにより組み立てられるため、組立が容易であり、組立性の向上を図ることができる。
【００６２】
また、取付ベース４Ａに対してユニットベース５Ａの交換が可能であり、ユニットベース５Ａの交換も取付ベース４Ａに対してスライドさせることにより簡単に行うことが可能であり、メンテナンス性の向上を図ることができる。
【００６３】
さらに、光源ユニット３Ａにあっては、取付ベース４Ａに対して発光体２１の交換も可能であり、発光体２１の交換も取付ベース４Ａに対してスライドさせることにより簡単に行うことが可能であり、一層のメンテナンス性の向上を図ることができる。
【００６４】
次に、第２の実施の形態における光源ユニット３Ｂについて説明する（図５及び図６参照）。
【００６５】
光源ユニット３Ｂは取付ベース４Ｂと該取付ベース４Ｂに挿入されて取り付けられる発光体２７及び放熱部材１２Ｂと接続体２８とから成る。
【００６６】
取付ベース４Ｂは、例えば、絶縁性材料によって形成され、上方に開口された箱状のケース部２９と該ケース部２９の前面の上縁を除く外周部から前方へ突出された第１の前側周面部２２Ｂと該第１の前側周面部２２Ｂの前縁から内方へ張り出された第１の前側壁部２３Ｂと該第１の前側壁部２３の内周縁から前方へ突出された第２の前側周面部２４Ｂと該第２の前側周面部２４Ｂの前縁から内方へ張り出された第２の前側壁部２５Ｂとから成る。
【００６７】
ケース部２９には、両側面部にそれぞれ上方に開口された放熱用切欠２９ａ、２９ａが形成され、後面部に上方に開口された挿入用切欠２９ｂが形成され、前面部に左右に離隔してそれぞれ上方に開口されたスリット２９ｃ、２９ｃが形成されている。
【００６８】
取付ベース４Ｂにおけるケース部２９の前側の空間のうち第１の前側周面部２２Ｂの内面側の空間が第１の挿入用空間４ｌとして形成され、該第１の挿入用空間４ｌの上側の開口が第１の挿入口４ｍとされ、ケース部２９の前側の空間のうち第２の前側周面部２４Ｂの内面側の空間が第２の挿入用空間４ｎとして形成され、該第２の挿入用空間４ｎの上側の開口が第２の挿入口４ｏとされている。第２の前側壁部２５Ｂの内側の空間は前側配置部４ｐとされ第２の挿入用空間４ｏに連通されている。
【００６９】
取付ベース４Ｂにはケース部２９の両側面にそれぞれ被取付突部１１、１１が設けられている。
【００７０】
発光体２７は発光ダイオード１８と該発光ダイオード１８が搭載された基板３０とから成る。基板３０には上方へ突出された接続突部３０ａが設けられている。基板３０には一対の給電部３０ｂ、３０ｂが形成され、該給電部３０ｂ、３０ｂは各一端部が発光ダイオード１８に接続され各他端部が接続突部３０ａに位置されている。
【００７１】
放熱部材１２Ｂは矩形状に形成されている。
【００７２】
接続体２８は回路基板３１と該回路基板３１の前端部に設けられた第１の導通端子部３２と回路基板３１の後端部に設けられた第２の導通端子部３３とから成る。回路基板３１には制御回路３１ａが形成され、該制御回路３１ａは第１の導通端子部３２と第２の導通端子部３３に接続されている。
【００７３】
発光体２７と放熱部材１２Ｂはそれぞれ取付ベース４Ｂの第１の挿入口４ｌと第２の挿入口４ｎから第１の挿入用空間４ｍと第２の挿入用空間４ｏに挿入されスライドされて取付ベース４Ｂに嵌合されて取り付けられる。発光体２７と放熱部材１２Ｂがそれぞれ取付ベース４Ｂに取り付けられた状態においては、発光体２７における基板３０の後面が放熱部材１２Ｂに接した状態とされる。発光体２７は基板３０の接続突部３０ａが第１の挿入用空間４ｍから上方へ突出される。
【００７４】
発光体２７と放熱部材１２Ｂがそれぞれ取付ベース４Ｂに取り付けられた状態において、接続体２８が取付ベース４Ｂに接着等の適宜の手段によって取り付けられる。接続体２８は第１の導通端子部３２が発光体２７の接続突部３０ａに接続され第２の導通端子部３３の一部が取付ベース４Ｂのケース部２９に形成された挿入用切欠２９ｂに挿入されて配置される。
【００７５】
上記のように、発光体２７、放熱部材１２Ｂ及び接続体２８が取付ベース４Ｂに取り付けられて光源ユニット３Ｂが構成される。
【００７６】
光源ユニット３Ｂは取付ベース４Ｂの被取付突部１１、１１に形成されたネジ挿通孔１１ａ、１１ａにそれぞれ挿通された取付ネジ５０、５０によってリフレクター２に固定される。
【００７７】
光源ユニット３Ｂの第２の導通端子部３３には図示しない電源回路に接続されたコネクター１００が接続される。
【００７８】
上記のように、光源ユニット３Ｂは、取付ベース４Ｂに発光体２７及び放熱部材１２Ｂがスライドされて挿入され接続体２８が取り付けられることにより組み立てられるため、組立が容易であり、組立性の向上を図ることができる。
【００７９】
また、取付ベース４Ｂに対して発光体２７、放熱部材１２Ｂ及び接続体２８の交換がそれぞれ可能であり、発光体２７と放熱部材１２Ｂの交換も取付ベース４Ｂに対してスライドさせることにより簡単に行うことが可能であり、メンテナンス性の向上を図ることができる。
【００８０】
さらに、光源ユニット３Ｂにあっては、取付ベース４に放熱部材１２Ｂがスライドされて挿入されるため、組立性の一層の向上を図ることができる。
【００８１】
上記のように光源ユニット３Ｂが構成された状態において、電源回路からコネクター１００、接続体２８及び発光体２７の給電部３０ｂ、３０ｂを介して発光ダイオード１８に電流が供給され、該発光ダイオード１８から光が出射される。
【００８２】
発光ダイオード１８の発光時には光の出射に伴って発光体２７に発熱が生じるが、発生した熱は放熱部材１２Ｂ及びケース部２９に形成されたスリット２９ｃ、２９ｃを介して放熱用切欠２９ａ、２９ａから放出され良好な放熱性が確保される。
【００８３】
尚、第２の実施の形態における光源ユニット３Ｂにおいて、放熱部材１２Ｂに代えて放熱部材３４を用いてもよい（図７参照）。放熱部材３４は前後方向を向く基面部３４ａと該基面部３４ａの左右両端部から後方へ突出された側面部３４ｂ、３４ｂとから成る。
【００８４】
放熱部材３４は基面部３４ａが取付ベース４Ｂの第２の挿入口４ｏから第２の挿入用空間４ｎにそれぞれ挿入され側面部３４ｂ、３４ｂの各前端部がそれぞれスリット２９ｃ、２９ｃに挿入される。放熱部材３４は側面部３４ｂ、３４ｂがそれぞれ取付ベース４Ｂの放熱用切欠２９ａ、２９ａの直ぐ内側に位置される。
【００８５】
従って、発光ダイオード１８の発光時に発生した熱が放熱部材３４の基面部３４ａから側面部３４ｂ、３４ｂに伝導され、放熱用切欠２９ａ、２９ａから放熱が行われ良好な放熱性が確保される。
【００８６】
次に、第３の実施の形態における光源ユニット３Ｃについて説明する（図８及び図９参照）。
【００８７】
光源ユニット３Ｃは取付ベース４Ｃと該取付ベース４Ｃに挿入されて取り付けられる発光体３５及び回路基板３６とを有している。
【００８８】
取付ベース４Ｃは、例えば、絶縁性材料によって形成され、前後方向を向く円板状のフランジ部３７と該フランジ部３７から前方へ突出され外形が円筒状の保持部３８とフランジ部３７から後方へ突出されたコネクター部３９とから成る。
【００８９】
保持部３８には前方に開口された配置用凹部３８ａが形成されている。保持部３８の外周部における前端部には前方に開口された位置決め溝３８ｂ、３８ｂが周方向に離隔して形成されている。
【００９０】
保持部３８の外周面におけるフランジ部３７に寄った位置には周方向に離隔して接続突部３８ｃ、３８ｃ、３８ｃが設けられている。
【００９１】
コネクター部３９は後方に開口された凹状に形成されている。
【００９２】
取付ベース４Ｃには保持部３８に上方に開口された挿入用空間４ｑが形成され、該挿入用空間４ｑの上側の開口が挿入口４ｒとされている。挿入用空間４ｑは配置用凹部３８ａに連通されている。
【００９３】
取付ベース４Ｃには保持部３８に上方に開口された配置用空間４ｓが形成され、該配置用空間４ｓの上側の開口が挿入用開口４ｔとされている。配置用空間４ｓは挿入用空間４ｑの後側に位置されている。
【００９４】
発光体３５は発光ダイオード１８と該発光ダイオード１８が搭載された基板４０とから成る。基板４０には一対の給電部４０ａ、４０ａが形成され、該給電部４０ａ、４０ａは各一端部が発光ダイオード１８に接続され各他端部が基板４０の両側部に位置されている。
【００９５】
回路基板３６は両側部にそれぞれ給電接続部３６ａ、３６ａを有している。回路基板３６の前面には複数の電子部品３６ｂ、３６ｂ、・・・が搭載され後面には図示しない複数の接点部が形成されている。
【００９６】
取付ベース４Ｃにおける保持部３８の内部には接続部４１、４１が左右に離隔して配置されている。接続部４１、４１は、例えば、金属部材が配置された金型に溶融樹脂が充填されて成形される所謂インサート成形によって取付ベース４Ｃに一体に形成されている。接続部４１、４１はそれぞれ前端部が第１の導通部４１ａ、４１ａとして設けられ後端部が第２の導通部４１ｂ、４１ｂとして設けられている。
【００９７】
取付ベース４Ｃの内部にはコネクター端子４２、４２、４２が配置されている。コネクター端子４２、４２、４２は、例えば、インサート成形によって取付ベース４Ｃに一体に形成されている。コネクター端子４２、４２、４２の下端部はそれぞれフランジ部３７から後方へ突出されコネクター部３９の内部に位置されている。
【００９８】
発光体３５と回路基板３６はそれぞれ取付ベース４Ｃの挿入口４ｒと挿入用開口４ｔから挿入用空間４ｑと配置用空間４ｓに挿入されスライドされて取付ベース４Ｃに嵌合されて取り付けられる。
【００９９】
発光体３５が取付ベース４Ｃに取り付けられた状態においては、発光体３５の基板４０に形成された給電部４０ａ、４０ａがそれぞれ接続部４１、４１の第１の導通部４１ａ、４１ａに接続される。発光体３５の発光ダイオード１８は保持部３８の配置用凹部３８ａに位置される。
【０１００】
回路基板３６が取付ベース４Ｃに取り付けられた状態においては、回路基板３６の給電接続部３６ａ、３６ａがそれぞれ接続部４１、４１の第２の導通部４１ｂ、４１ｂに接続され、後面に形成された複数の接点部がそれぞれコネクター端子４２、４２、４２に接続される。
【０１０１】
取付ベース４Ｃにおける保持部３８の前端部にはレンズ体４３が取り付けられる。レンズ体４３は、例えば、本体部４３ａと該本体部４３ａの外周部に設けられた位置決め突部４３ｂ、４３ｂとを有し、該位置決め突部４３ｂ、４３ｂがそれぞれ位置決め溝３８ｂ、３８ｂに係合されて位置決めされ接着等の適宜の手段によって保持部３８に取り付けられる。本体部４３ａには光を制御するための集光部や拡散部等の必要な機能を有する各部を設けることが可能である。
【０１０２】
上記のように、発光体３５及び回路基板３６が取付ベース４Ｃに取り付けられて光源ユニット３Ｃが構成される。
【０１０３】
光源ユニット３Ｃは図示しないランプボデイ（又はリフレクター）の取付部に取り付けられる。取付部には取付孔が形成され、該取付孔は円形部と該円形部の外周に連続して形成された複数の突部とから成り、該突部が周方向に離隔して位置されている。
【０１０４】
光源ユニット３Ｃはフランジ部３７の前面に図示しないオーリングが配置された状態で、保持部３８が取付部に形成された取付孔に後方から挿通される。このとき接続突部３８ｃ、３８ｃ、３８ｃがそれぞれ取付孔の突部に挿通される。
【０１０５】
接続突部３８ｃ、３８ｃ、３８ｃがそれぞれ取付孔の突部に挿通された状態においてはオーリングが取付部の後面に押し付けられ、この状態で光源ユニット３Ｃを取付部に対して回転する。光源ユニット３Ｃを取付部に対して回転すると、オーリングを介して取付部が接続突部３８ｃ、３８ｃ、３８ｃとフランジ部３７によって挟持され、光源ユニット３Ｃが取付部に取り付けられる。
【０１０６】
光源ユニット３Ｃのコネクター部３９には図示しない電源回路に接続されたコネクター１００が接続される。
【０１０７】
上記のように、光源ユニット３Ｃは、取付ベース４Ｃに発光体３５及び回路基板３６がスライドされて挿入されることにより組み立てられるため、組立が容易であり、組立性の向上を図ることができる。
【０１０８】
また、取付ベース４Ｃに対して発光体３５及び回路基板３６の交換がそれぞれ可能であり、発光体３５と回路基板３６の交換も取付ベース４Ｃに対してスライドさせることにより簡単に行うことが可能であり、メンテナンス性の向上を図ることができる。
【０１０９】
さらに、光源ユニット３Ｃにあっては、取付ベース３Ｃに接続部４１、４１及びコネクター端子４２、４２、４２が一体に形成されているため、部品点数の削減による製造コストの低減を図ることができる。
【０１１０】
上記のように光源ユニット３Ｃが構成された状態において、電源回路からコネクター１００、コネクター端子４２、４２、４２、回路基板３６、接続部４１、４１及び発光体３５の給電部４０ａ、４０ａを介して発光ダイオード１８に電流が供給され、該発光ダイオード１８から光が出射される。
【０１１１】
上記したように、光源ユニット３、３Ａ、３Ｂ、３Ｃにあっては、メンテナンス性の向上及び組立性の向上を図ることができ、光源ユニット３、３Ａ、３Ｂ、３Ｃを備えた車輌用灯具１にあっても、メンテナンス性の向上及び組立性の向上を図ることができる。
【０１１２】
尚、上記には、光源ユニット３、３Ａ、３Ｂ、３Ｃを取付ネジ５０、５０によるネジ止め又は接続突部３８ｃ、３８ｃ、３８ｃとフランジ部３７による取付部に対する係合によってリフレクター又はランプボデイに取り付ける例を示したが、光源ユニット３、３Ａ、３Ｂ、３Ｃのリフレクター又はランプボデイへの取付はネジ止めや係合に限られることはない。光源ユニット３、３Ａ、３Ｂ、３Ｃのリフレクター又はランプボデイへの取付は、ネジ止めや係合の他に、例えば、溶着、接着、圧入等の適宜の手段によって行うことが可能である。
【０１１３】
上記した最良の形態において示した各部の形状及び構造は、何れも本発明を実施するに際して行う具体化のほんの一例を示したものに過ぎず、これらによって本発明の技術的範囲が限定的に解釈されることがあってはならないものである。
【図面の簡単な説明】
【０１１４】
【図１】図２乃至図９と共に本発明の最良の形態を示すものであり、本図は、第１の実施の形態における光源ユニットがリフレクターに取り付けられた状態を一部を断面にして示す側面図である。
【図２】第１の実施の形態における光源ユニットの分解斜視図である。
【図３】第１の実施の形態における光源ユニットの斜視図である。
【図４】第１の実施の形態の変形例における光源ユニットの分解斜視図である。
【図５】第２の実施の形態における光源ユニットの分解斜視図である。
【図６】第２の実施の形態における光源ユニットの斜視図である。
【図７】光源ユニットの第２の実施の形態において別の放熱部材が用いられた例を示す分解斜視図である。
【図８】第３の実施の形態における光源ユニットの分解斜視図である。
【図９】第３の実施の形態における光源ユニットの拡大断面図である。
【符号の説明】
【０１１５】
１…車輌用灯具、２…リフレクター、３…光源ユニット、４…取付ベース、４ａ…挿入用空間、４ｂ…挿入口、４ｄ…配置用空間、４ｅ…挿入用開口、１２…第１の放熱部材、１３…第２の放熱部材、１４ａ…回路パターン（給電部）、１５…光源接続部（基板）、１６…回路形成部（回路基板）、１８…発光ダイオード、２０…発光体、３Ａ…光源ユニット、４Ａ…取付ベース、４ｉ…第２の挿入用空間、４ｊ…第２の挿入口、２１…発光体、２６…基板、２６ａ…給電部、３Ｂ…光源ユニット、４Ｂ…取付ベース、４ｎ…第２の挿入用空間、４ｏ…第２の挿入口、１２Ｂ…放熱部材、２７…発光体、３０…基板、３０ｂ…給電部、３１…回路基板、３４…放熱部材、３Ｃ…光源ユニット、４Ｃ…取付ベース、４ｑ…挿入用空間、４ｒ…挿入口、４ｓ…配置用空間、４ｔ…挿入用開口、３５…発光体、３６…回路基板、４０…基板、４０ａ…給電部、４１…接続部
【図１】
0005511344.tif 000002
【図２】
0005511344.tif 000003
【図３】
0005511344.tif 000004
【図４】
0005511344.tif 000005
【図５】
0005511344.tif 000006
【図６】
0005511344.tif 000007
【図７】
0005511344.tif 000008
【図８】
0005511344.tif 000009
【図９】
0005511344.tif 000010